(57)【要約】【課題】  ファクシミリデータの記述する画像を表示する表示手段を持たないファクシミリ装置が受信したファクシミリデータであっても、画像表示装置で画像を表示可能とすることで、印刷用紙を節約可能な技術を提供する。【解決手段】  本発明のシステム２では、ファクシミリ装置４と画像表示装置３０が通信可能に接続されており、ファクシミリ装置４は受信したファクシミリデータを等倍の画像を記述する画像データに変換し、さらに、変換した等倍の画像データが記述する画像をｎ分割した個々の画像を記述する分割画像データのｎ個で構成される分割形式の画像データを作成する。変換された等倍の画像データと分割形式の画像データは関連付けられて画像表示装置３０へ送信され、表示手段４４に切換え可能に表示される。【選択図】図８
2008092078.tif 000002
【特許請求の範囲】
【請求項１】
ファクシミリデータが記述する画像を表示する手段を持たないファクシミリ装置であって、
画像表示装置と接続する接続インターフェースと、
公衆回線を通じてファクシミリデータを受信するファクシミリデータ受信手段と、
受信したファクシミリデータを、等倍の画像を記述する画像データに変換する画像データ変換手段と、
変換した画像データを、前記接続インターフェースを介して前記画像表示装置に送信する画像データ送信手段と、
を備えることを特徴とするファクシミリ装置。
【請求項２】
変換した画像データが記述する画像をｎ分割した個々の画像を記述する分割画像データのｎ個で構成される分割形式の画像データを作成する画像データ作成手段を有し、
画像データ送信手段は、前記変換した画像データと、前記分割形式の画像データとを関連付けて画像表示装置に送信するものであり、
前記ｎは２以上の任意の整数であることを特徴とする請求項１に記載のファクシミリ装置。
【請求項３】
前記画像データ送信手段は、先に前記変換した画像データを送信し、次いで前記分割形式の画像データを送信することを特徴とする請求項２に記載のファクシミリ装置。
【請求項４】
前記画像データ作成手段は、分割形式の画像データを構成する各々の分割画像データのファイル名を、表示順序と関連付けて作成することを特徴とする請求項２又は請求項３に記載のファクシミリ装置。
【請求項５】
ユーザが操作することを可能とする操作部と、
前記操作部で印刷手段を動作させる操作が実行された場合に、前記画像表示装置が表示している画像に対応する等倍の画像を記述する画像データを特定する印刷画像データ特定手段と、
前記印刷画像データ特定手段により特定された前記等倍の画像を記述する画像データを、前記画像表示装置から取得する画像データ取得手段と、を備え、
前記画像表示装置より取得した画像データを、前記印刷手段により印刷することを特徴とする請求項２ないし請求項４のいずれかに記載のファクシミリ装置。
【請求項６】
ユーザが操作することを可能とする操作部と、
前記操作部で、前記画像表示装置が表示している画像を記述するデータを削除する操作が実行された場合に、その画像における、等倍の画像を記述する画像データおよび分割形式の画像データを特定する削除画像データ特定手段と、
前記削除画像データ特定手段により特定された画像データについて、前記画像表示装置に対して削除指示を送信する削除指示送信手段と、
を備える請求項２ないし請求項４のいずれかに記載のファクシミリ装置。
【請求項７】
ファクシミリデータが記述する画像を表示する手段を持たないファクシミリ装置と、そのファクシミリ装置から物理的に別体の画像表示装置が、通信可能に接続されたシステムであって、
ファクシミリ装置は、
画像表示装置と接続する第１接続インターフェースと、
公衆回線を通じてファクシミリデータを受信するファクシミリデータ受信手段と、
受信したファクシミリデータを、等倍の画像を記述する画像データに変換する画像データ変換手段と、
変換した画像データを、前記第１接続インターフェースを介して前記画像表示装置に送信する画像データ送信手段を有し、
画像表示装置は、
ファクシミリ装置と接続する第２接続インターフェースと、
ファクシミリ装置から送信される画像データを受信する画像データ受信手段と、
受信した画像データを記憶する画像データ記憶手段と、
画像データ記憶手段に記憶されている画像データが記述する画像を表示する画像表示手段を有することを特徴とするシステム。
【請求項８】
前記ファクシミリ装置は、変換した画像データが記述する画像を２以上の任意の整数であるｎ分割した個々の画像を記述する分割画像データのｎ個で構成される分割形式の画像データを作成する画像データ作成手段を有し、
画像データ送信手段は、前記変換した画像データと、前記分割形式の画像データとを関連付けて画像表示装置に送信するものであり、
前記画像表示装置は持ち運び可能な携帯端末装置であり、
前記画像データ記憶手段は、分割形式の画像データを構成するｎ個の分割画像データを表示順序を関連付けて記憶し、
その携帯端末装置は、
ユーザが、分割形式の画像データを選択する選択手段と、
ユーザが選択した前記分割形式の画像データにおける分割画像データで記述される画像を、関連付けられた表示順序に従って表示手段に表示する画像切換手段と、
を備えていることを特徴とする請求項７に記載のシステム。
【発明の詳細な説明】
【技術分野】
【０００１】
本発明は、ファクシミリデータの記述する画像を表示する表示手段を持たないファクシミリ装置に関する。
【背景技術】
【０００２】
端末機にて、その端末機が受信したファクシミリデータの記述する画像を表示部に表示させる技術が知られている。この技術によると、ユーザは受信したファクシミリデータの記述する画像を確認することができる。端末機に十分な大きさの表示部がない場合であっても、その端末機と別体の機器を通信可能に接続し、受信したファクシミリデータを端末機に接続された機器で見ることが可能である（特許文献１参照）。具体的には、端末機が、受信したファクシミリデータを、端末機と接続された機器に送信し、その機器がそのファクシミリデータを印刷用紙に印刷することにより、見ることが可能となる。
【特許文献１】特開２００１−３３３２４５号公報
【発明の開示】
【発明が解決しようとする課題】
【０００３】
しかしながら、特許文献１の技術では、受信したファクシミリデータが印刷する必要がないデータであっても、印刷しなければ見ることができない。特許文献１の技術では、受信したファクシミリデータを印刷するか否かの判断を事前に行うことができず、印刷用紙を無駄に消費してしまう。
【０００４】
本発明は、ファクシミリデータの記述する画像を表示する表示手段を持たないファクシミリ装置が受信したファクシミリデータであっても、画像表示装置で画像を表示可能とすることで、印刷用紙を節約可能な技術を提供するものである。
【課題を解決するための手段】
【０００５】
係る課題を解決するために、本発明のファクシミリ装置は、以下の構成を有している。この装置はファクシミリデータが記述する画像を表示する手段を持たないファクシミリ装置であって、画像表示装置と接続する接続インターフェースと、公衆回線を通じてファクシミリデータを受信するファクシミリデータ受信手段と、受信したファクシミリデータを、等倍の画像を記述する画像データに変換する画像データ変換手段と、変換した画像データを、前記接続インターフェースを介して画像表示装置に送信する画像データ送信手段を備えている。
【０００６】
本発明のファクシミリ装置は、公衆回線を通じて受信したファクシミリデータを画像データ変換手段で画像データに変換することができる。例えば、ＭＨ／ＭＲ／ＭＭＲ等のデータ形式のファクシミリデータを、ＪＰＥＧ等のデータ形式に変換することができる。なお、画像データ変換手段がファクシミリデータを変換する「等倍の画像を記述する画像データ」とは、受信したファクシミリデータが記述する画像と等倍の大きさの画像を記述する画像データをいう。例えば、受信したファクシミリデータがｌ×ｍの大きさの画像を記述するのであれば、画像データ変換手段に変換された画像データもまた、ｌ×ｍの大きさの画像を記述している。
このファクシミリ装置には、接続インターフェースを介して画像表示装置を通信可能に接続することができる。ファクシミリ装置と画像表示装置は、例えば、ＵＳＢケーブル、あるいはシリアルケーブル等を用いて接続することができる。ファクシミリ装置は、接続された画像表示装置に、画像データ送信手段からファクシミリデータを変換した画像データを送信することができる。ファクシミリ装置から画像表示装置へ送信されるデータは画像データ形式に変換されているので、画像表示装置は画像データが記述する画像を表示可能であればよく、ファクシミリデータ用のコーデックを記憶していなくてもよい。
ファクシミリデータが記述する画像を表示する手段を持たないファクシミリ装置であっても、画像表示装置を用いて受信したファクシミリデータを見ることができる。ユーザは、ファクシミリデータの記述する内容を画像表示装置で見て、そのデータを印刷する必要があるか否かを判断することができる。
【０００７】
本発明のファクシミリ装置は、変換した画像データが記述する画像をｎ分割した個々の画像を記述する分割画像データのｎ個で構成される分割形式の画像データを作成する画像データ作成手段を有していることが好ましい。このとき、画像データ送信手段は、変換した画像データと、分割形式の画像データとを関連付けて画像表示装置に送信するものであり、ｎは２以上の任意の整数であることを特徴とすることが好ましい。
分割形式の画像データは、画像データ変換手段が変換した画像データが記述する等倍の画像をｎ分割した個々の画像を記述する分割画像データのｎ個で構成されている。図９に、分割形式の画像データの構成を表わす図を示す。例えば、図９（ａ）では、ｎ＝４のとき、分割形式の画像データは４個の分割画像データで構成される。作成された各々の分割画像データは、等倍の画像の１／４の画像を、もとの変換された等倍の画像データが記述する画像と同じ大きさで記述している。
例えば、画像表示装置が携帯端末装置であり、画像が表示される画面が小さい場合、等倍の画像を記述する画像データでは画像が小さく表示されてしまい、ユーザが画像の内容を視認できないことがある。このようなときに、ファクシミリ装置が分割形式の画像データを作成し、変換した等倍の画像データと分割形式の画像データとを関連付けて画像表示装置に送信することができる。画像表示装置に画像の拡大縮小機能が搭載されていなくても、分割画像データを表示することで、等倍の画像データが記述する画像を拡大した状態の画像を表示させることができる。
分割形式の画像データを構成する分割画像データの数ｎは、画像表示装置の表示手段が表示可能な画像の大きさに応じて設定することができる。また、分割画像データの数ｎをユーザが選択可能に構成してもよい。
【０００８】
本発明のファクシミリ装置の画像データ送信手段は、先に変換した画像データを送信し、次いで分割形式の画像データを送信することを特徴とすることが好ましい。
画像表示装置では、受信した順に画像データの記述する画像を表示することが多い。ファクシミリ装置が先に変換した画像データを送信することで、画像表示装置には画像データが記述する画像の全体像が表示され、次いで分割形式の画像データを送信することで、先に表示されている全体像の一部が拡大された画像を表示されるようにすることができる。ユーザは先に画像の全体像を把握し、次いで画像の一部が拡大された分割画像から詳細を把握することができる。
【０００９】
本発明のファクシミリ装置の画像データ作成手段は、分割形式の画像データを構成する各々の分割画像データのファイル名を、表示順序と関連付けて作成することを特徴とすることが好ましい。
例えば、分割形式の画像データを構成する分割画像データの数が多いと、分割画像データ同士の関連の把握が困難なことがある。各々の分割画像データのファイル名を、表示順序と関連付けて作成しておけば、連続して表示すべき分割画像データを容易に識別することができる。例えば、図９（ｂ）に示すように、ｎ＝３のときに分割形式の画像データを構成する３個の分割画像データの各ファイル名の最小桁が、その分割画像データの表示順序を表わすように関連付けて作成することができる。
【００１０】
本発明のファクシミリ装置は、ユーザが操作することを可能とする操作部と、操作部で印刷手段を動作させる操作が実行された場合に、画像表示装置が表示している画像に対応する等倍の画像を記述する画像データを特定する印刷画像データ特定手段と、印刷画像データ特定手段により特定された等倍の画像を記述する画像データを、画像表示装置から取得する画像データ取得手段を備えており、画像表示装置より取得した画像データを印刷手段により印刷することを特徴とすることが好ましい。
画像表示装置に表示しているファクシミリデータの記述する内容を印刷する必要があるときには、印刷する画像データを画像表示装置より取得してファクシミリ装置で印刷することができる。例えば、図９（ｂ）の分割画像データ「０６０９２０ｎ３１」が記述する画像が画像表示装置に表示されていても、ファクシミリ装置は、ファクシミリデータの記述していた画像と等倍の大きさの画像データ、すなはち「０６０９２０ｎ１」を取得し、印刷することができる。
【００１１】
本発明のファクシミリ装置は、ユーザが操作することを可能とする操作部と、操作部で、画像表示装置が表示している画像を記述するデータを削除する操作が実行された場合に、その画像における、等倍の画像を記述する画像データおよび分割形式の画像データを特定する削除画像データ特定手段と、削除画像データ特定手段により特定された画像データについて、画像表示装置に対して削除指示を送信する削除指示送信手段を備えていることが好ましい。
ファクシミリ装置で画像データを削除する操作が実行されると、画像表示装置に表示している画像と、画像表示装置に表示している画像に関連している等倍の画像を記述する変換された画像データおよび分割形式の画像データが特定され、それらのデータの削除指示が画像表示装置へ送信される（図８を参照）。例えば、図９（ｂ）の分割画像データ「０６０９２０ｎ３１」が記述する画像が画像表示装置に表示されているときに削除する操作が実行されると、この分割画像データと、この分割画像データに関連付けられている分割画像データ「０６０９２０ｎ３２」および「０６０９２０ｎ３３」と、等倍の画像データ「０６０９２０ｎ１」とが特定され、それらの削除指示が画像表示装置へ送信される。削除判断がされた画像データに関連するすべての画像データを削除することができるので、不必要な画像データをユーザが検索し、それらを個々に削除する必要がない。
【００１２】
本発明はシステムに具現化することができる。このシステムは、ファクシミリデータが記述する画像を表示する手段を持たないファクシミリ装置と、そのファクシミリ装置から物理的に別体の画像表示装置が、通信可能に接続されたシステムである。
このシステムにおいて、ファクシミリ装置は、画像表示装置と接続する第１接続インターフェースと、公衆回線を通じてファクシミリデータを受信するファクシミリデータ受信手段と、受信したファクシミリデータを、等倍の画像を記述する画像データに変換する画像データ変換手段と、変換した画像データを、第１接続インターフェースを介して画像表示装置に送信する画像データ送信手段を有している。
画像表示装置は、ファクシミリ装置と接続する第２接続インターフェースと、ファクシミリ装置から送信される画像データを受信する画像データ受信手段と、受信した画像データを記憶しておく画像データ記憶手段と、画像データ記憶手段に記憶されている画像データが記述する画像を表示する画像表示手段を有している。
【００１３】
図８に、本発明のシステムの通信処理動作の概略を表わす図を示す。ファクシミリ装置は、ファクシミリデータを受信して、等倍の画像を記述する画像データに変換する。変換した等倍の画像を記述する画像データはファクシミリ装置に接続されている画像表示装置に送信され、表示される。本発明のシステムによると、ファクシミリデータが記述する画像を表示する手段を持たないファクシミリ装置であっても、画像表示装置を用いて受信したファクシミリデータが記述する内容を見ることができる。ユーザは、ファクシミリデータの記述する内容を画像表示装置で見て、そのデータを印刷する必要があるか否かを判断することができる。
【００１４】
上記のシステムにおいて、ファクシミリ装置は、変換した画像データが記述する画像を２以上の任意の整数であるｎ分割した個々の画像を記述する分割画像データのｎ個で構成される分割形式の画像データを作成する画像データ作成手段を有し、画像データ送信手段は、変換した画像データと、分割形式の画像データとを関連付けて画像表示装置に送信することができる。
さらに、このシステムの画像表示装置は持ち運び可能な携帯端末装置であることが好ましい。この携帯端末装置は、を構成するｎ個の分割画像データを表示順序を関連付けて記憶する画像データ記憶手段と、ユーザが、分割形式の画像データを選択する選択手段と、ユーザが選択した分割形式の画像データにおける分割画像データで記述される画像を、関連付けられた表示順序に従って表示手段に表示する画像切換手段を備えていることが好ましい。
【００１５】
上記の場合であれば、図８に示すように、ファクシミリ装置は受信したファクシミリデータを等倍の画像を記述する画像データに変換し、その変換された画像データが記述する画像を記述する分割形式の画像データを作成する。変換した等倍の画像データと分割形式の画像データは関連付けられて画像表示装置に送信される。分割形式の画像データを構成する分割画像データは、各々の分割画像データに関連付けられた表示順序に従って表示される。
【００１６】
携帯端末装置は上記の構成を有していればよく、本発明のファクシミリ装置の専用機器である必要はない。例えば、通話機能や音楽再生機能等の他の機能を実行可能な装置であってもよい。ファクシミリ装置から携帯端末装置へ送信されるデータは画像形式に変換されているので、携帯端末装置はファクシミリデータ用のコーデックを記憶していなくてもよい。また、携帯端末装置の表示画面が小さい場合でも、ファクシミリ装置からは変換された等倍の画像データと分割形式の画像データとを送信することができるので、携帯端末装置に画像の拡大縮小機能がなくても、ユーザが選択手段で分割形式の画像データを選択し、画像切換手段で表示手段に表示する画像を切換えれば、ユーザが見やすい大きさの画像を表示させることができる。
【発明の効果】
【００１７】
本発明によると、ファクシミリデータが記述する画像を表示する手段を持たないファクシミリ装置であっても、画像表示装置を用いて受信したファクシミリデータを見ることができる。受信したファクシミリデータを印刷する必要があるか否かを画像表示装置に表示された画像で判断することができる。印刷用紙を節約することができる。
【発明を実施するための最良の形態】
【００１８】
最初に、以下に説明する実施例の主要な特徴を列記する。
（特徴１）  ユーザの選択によって、分割形式の画像データを印刷することができる。
（特徴２）  変換された等倍の画像データのファイル名と分割形式の画像データを構成する各々の分割画像データのファイル名を、表示順序と関連付けて作成することができる。
（特徴３）  ファクシミリ装置は画像データのファイル名を作成する条件を記憶するファイル名作成条件記憶手段を備えている。
【実施例】
【００１９】
本発明の実施例について図面を参照しながら説明する。
図１に、本発明のシステム２の概略構成を表わすブロック図を示す。ファクシミリ装置４は、ＣＰＵ６と、ＲＯＭ６０とＲＡＭ６２と不揮発性ＲＡＭ７０とからなる記憶領域および処理領域と、印刷部６４と、スキャナ部６６と、表示部１７とを有しており、モデム７６を介して接続された公衆回線４８を通じて、通話、ファックス等の通信を行うことができる。不揮発性ＲＡＭ７０には、ＣＰＵ６に各種動作処理を実行させるプログラムが格納されている。表示部１７は、ファクシミリ装置４が持つ機能の種類や、機能の実行結果等を文字表示するためのものである。このファクシミリ装置４は、受信したファクシミリデータが記述する画像を表示する機能を持たない。
このファクシミリ装置４は、ＬＡＮインターフェース６８に接続されたＬＡＮケーブル７８を介してコンピュータ９０に接続されており、コンピュータ９０からの指令を処理することができる。また、接続インターフェース１８には、画像表示装置３０を接続することができる。
画像表示装置３０は、ＣＰＵ４０と、ＲＯＭ８０とＲＡＭ８２とからなる記憶領域および処理領域と、ハードディスク８８とを有しており、表示手段４４に表示される入力画面に従って、操作部５０から指示を入力し、各種動作処理を実行することができる。ハードディスク８８には、ＣＰＵ４０に各種動作処理を実行させるプログラムが格納されている。接続インターフェース３２には、ファクシミリ装置４を接続することができる。
本発明のシステム２では、ファクシミリ装置４と画像表示装置３０が、接続インターフェース１８、３２に接続されたＵＳＢケーブルを介して通信可能に接続されている。
【００２０】
図１の本実施例のシステム２のハードウェア構成と、本発明の構成要件との関係を説明する。本発明のファクシミリ装置の構成要件であるファクシミリデータ受信手段と、画像データ変換手段と、画像データ作成手段と、画像データ送信手段と、画像データ取得手段と、印刷画像データ特定手段と、削除指示送信手段と、削除画像データ特定手段は、図１に示したファクシミリ装置４のハードウェア構成と、記憶領域に記憶されている各種プログラム（図示省略）が協働することで具現化されるものである。また、本発明の画像表示装置の構成要件である画像データ受信手段と、画像データ記憶手段と、選択手段と、画像表示手段と、画像切換手段は、図１に示した画像表示装置３０のハードウェア構成と、記憶領域に記憶されている各種プログラム（図示省略）が協働することで具現化されるものである。
【００２１】
ファクシミリ装置４のファクシミリデータ受信手段は、モデム７６と、ＣＰＵ６と、ＣＰＵにファクシミリデータを受信する動作処理を実行させるプログラムにより構成される。モデム７６を介して接続された公衆回線４８から受信されたファクシミリデータは、ＭＨ／ＭＲ／ＭＭＲ等のデータ形式で圧縮されている。
受信したファクシミリデータをファクシミリデータが記述する画像と等倍の画像を記述する画像データに変換する画像データ変換手段は、ファクシミリ装置４のＣＰＵ６と、ＣＰＵ６にデータ形式を変換する動作処理を実行させるプログラムにより構成される。変換された画像データのファイル名には、例えば、図９（ｃ）に示すように、ファクシミリデータの受信日時等で識別可能な符号と、等倍の画像データであることを識別可能な符号とで構成される名称を指定することができる。例えば、９月２０日に受信したファクシミリデータを変換した画像データであり、かつ、等倍の画像データであれば、ファイル名を「０６０９２０ｎ１」と指定することができる（図９（ｂ）を参照）。
変換した等倍の画像データが記述する画像をｎ分割した個々の画像を記述する分割画像データのｎ個で構成される分割形式の画像データを作成する画像データ作成手段は、ファクシミリ装置４のＣＰＵ６と、ＣＰＵ６に分割形式の画像データを作成する動作処理を実行させるプログラムにより構成される。各分割画像データのファイル名には、例えば、図９（ｃ）に示すように、ファクシミリデータの受信日時等で識別可能な符号と、分割形式の画像データであることを識別可能な符号と、分割形式の画像データにおける、その分割画像データの表示順序を表わす符号とで構成される名称を指定することができる。
変換された等倍の画像データと分割形式の画像データを画像表示装置３０へ送信する画像データ送信手段は、ファクシミリ装置４のＣＰＵ６と、ＣＰＵ６に画像データを送信する動作処理を実行させるプログラムにより構成される。画像表示装置３０へ送信された画像データは、画像表示装置３０の記憶領域であるハードディスク８８内に記憶される。
【００２２】
画像データ記憶手段は、画像表示装置３０の記憶領域で構成される。システム２でファクシミリ装置４が受信したファクシミリデータが記述する内容は画像データとして画像表示装置３０の記憶領域に記憶される。ファクシミリデータは、ファクシミリ装置４の記憶領域には記憶されない。
本実施例では、画像表示装置３０の記憶領域に記憶される画像データは、関連性のある画像データ毎に作成されるフォルダ内に記憶される。このフォルダには、フォルダに格納するファイルの名称と関連付けられた名称を指定することができる。例えば、ファクシミリデータの受信日時等で識別可能な符号を、そのファクシミリデータの内容を記述する画像データのフォルダ名に指定することができる。
【００２３】
画像データ記憶手段に記憶されている画像データが記述する画像を表示する画像表示手段は、画像表示装置３０の表示手段４４で構成される。
ユーザが分割形式の画像データを選択する選択手段は、画像表示装置３０の操作部５０と、ＣＰＵ４０と、ＣＰＵ４０に選択した画像データを表示する動作処理を実行させるプログラムにより構成される。例えば、変換された等倍の画像データと、ｎ＝２とｎ＝３の分割形式の画像データが送信されれば、それらの画像データのうち、変換された画像データが記述する等倍の画像が最初に表示手段４４に表示される。このとき、操作部５０を操作することで、ｎ＝２とｎ＝３の分割形式の画像データのいずれかを表示させるよう選択することができる。例えば、各ファイル名に関連付けられている画像データの種類を識別可能な符号から、先に等倍の画像データが記述する画像を表示させ、次いで分割形式の画像データが記述する画像を、分割数の大きいものから表示させることができる。ユーザは、表示順に拡大されていく画像を見ることができる。
ユーザが選択した分割形式の画像データで記述される画像を、分割画像データに関連付けられた表示順序に従って表示する画像切換手段は、画像表示装置３０の操作部５０と、ＣＰＵ４０と、ＣＰＵ４０に選択した分割画像データを表示する動作処理を実行させるプログラムにより構成される。例えば、ｎ＝２の分割形式の画像データを表示させるよう選択した場合であれば、分割形式の画像データを構成する２個の分割画像データを、各々の分割画像データに関連付けられた表示順序に従って表示することができる。
【００２４】
操作部で印刷手段を動作させる操作が実行された場合に、画像表示装置が表示している画像に対応する等倍の画像を記述する画像データを特定する印刷画像データ特定手段は、ファクシミリ装置４のＣＰＵ６と、ＣＰＵ６に画像表示装置３０が表示している画像に対応する等倍の画像を記述する画像データを特定する動作処理を実行させるプログラムで構成される。
印刷画像データ特定手段により特定された等倍の画像を記述する画像データを画像表示装置から取得する画像データ取得手段は、ファクシミリ装置４のＣＰＵ６と、ＣＰＵ６に画像データを取得する動作処理を実行させるプログラムで構成される。
表示手段４４に表示している画像を印刷する指示が操作部１６から入力されると、ファクシミリ装置４は画像表示装置３０が表示している画像を記述する画像データのファイル名を画像表示装置３０より取得し、取得したファイル名から、画像表示装置３０が表示している画像を記述する画像データと関連付けられている等倍の画像データのファイル名を推測し、特定することができる。ファクシミリ装置４は特定されたファイル名の画像データを画像表示装置３０の記憶領域から取得して印刷することができる。
【００２５】
操作部で画像表示装置が表示している画像を記述するデータを削除する操作が実行された場合に、その画像と、等倍の画像を記述する画像データおよび分割形式の画像データを特定する削除画像データ特定手段は、ファクシミリ装置４のＣＰＵ６と、ＣＰＵ６に削除する画像データを特定する動作処理を実行させるプログラムで構成される。
削除画像データ特定手段により特定された画像データについて、画像表示装置に対して削除指示を送信する削除指示送信手段は、ファクシミリ装置４のＣＰＵ６と、ＣＰＵ６に削除指示を送信する動作処理を実行させるプログラムで構成される。
表示手段４４に表示している画像を削除する指示が操作部１６から入力されると、ファクシミリ装置４は画像表示装置３０が表示している画像を記述する画像データのファイル名を取得し、取得したファイル名から、画像表示装置３０が表示している画像を記述する画像データと関連付けられている画像データ群が記憶されているフォルダ名を推測し、特定することができる。ファクシミリ装置４は、特定されたフォルダ名のフォルダと、フォルダ内の画像データを画像表示装置３０に削除させることができる。
【００２６】
図２に、ファクシミリデータを受信してから分割形式の画像データを送信するまでのファクシミリ装置４の動作処理を表わすフローチャートを示す。ステップＳ２では、公衆回線４８から送信されたファクシミリデータを受信する。ファクシミリデータは、ファクシミリデータ受信手段８によって受信される。
ステップＳ４では、画像表示装置３０が接続されているか否かが判断される。画像表示装置３０が接続されている場合（判断がＹＥＳの場合）はステップＳ８へ進み、画像表示装置３０が接続されていない場合（判断がＮＯの場合）は、ステップＳ６へ進む。この判断は、ファクシミリ装置４の接続インターフェース１８からハードウェアが検出されるか否かで判断することができる。
ステップＳ６では、画像表示装置３０が接続されていないことから、印刷部６４で受信したファクシミリデータを印刷する。
ステップＳ８では、画像表示装置３０が接続されていることから、受信したファクシミリデータを等倍の画像を記述する画像データに変換する。例えば、画像データ変換手段を用いて、ＭＭＲ形式のファクシミリデータをＪＰＥＧ形式の画像データに変換することができる。
ステップＳ１０では、分割形式の画像データを構成する分割画像データの数ｎを２に設定する。
ステップＳ１２では、変換した画像データから、ｎ個の分割画像データを作成する。例えば、ｎ＝２に設定されている場合は、このステップにおいて変換した画像データを２分割する２個の分割画像データが作成されることになる。
ステップＳ１４では、各分割画像に表示順序を関連付けて、ｎ個の分割画像で構成される分割形式の画像データを作成する。このステップで各々の分割画像データに関連付けられる表示順序は、各々の分割画像データのファイル名に反映される（図９を参照）。
ステップＳ１６では、分割形式の画像データを構成する分割画像データの数ｎが所定値以上であるか否かが判断される。数ｎが所定値以上である場合（判断がＹＥＳの場合）はステップＳ１８へ進み、数ｎが所定値以上でない場合（判断がＮＯの場合）は、ステップＳ１７へ進む。例えば、ｎ＝２およびｎ＝３の分割形式の画像データを作成することが設定されていれば、このステップでは分割画像データの数ｎが３以上であるか否かが判断されることになる。
ステップＳ１７では、分割形式の画像データを構成する分割画像データの数ｎを、２＋ｉに更新して、ステップＳ１２からステップＳ１６までの動作処理を繰返す。例えば、上記の場合であれば、分割画像データの数ｎは３に更新され、変換した画像データを３分割する３個の分割画像データで構成される分割形式の画像データが作成される。
ステップＳ１８では、画像表示装置３０の記憶領域にフォルダを作成する指示を送信する。このステップで送信されるフォルダ作成指示で、変換された等倍の画像データに関連付けられたフォルダ名を指定することができる。
ステップＳ２０では、画像表示装置３０に、変換した等倍の画像データと作成した分割形式の画像データを関連付けて送信する。送信された画像データ群をステップＳ１８で指定されたフォルダ内に記憶する指示をあわせて送信してもよい。
ステップＳ２からステップＳ２０の動作処理は、ＣＰＵ６と、ＣＰＵ６にステップＳ２からステップＳ２０を実行させる各種プログラムにより実行される。
【００２７】
図３に、印刷指示が入力されたときのファクシミリ装置４の動作処理を表わすフローチャートを示す。ステップＳ２２では、操作部１６から印刷指示が入力されたか否かが判断される。印刷指示が入力された場合（判断がＹＥＳの場合）はステップＳ２４へ進み、印刷指示が入力されていない場合（判断がＮＯの場合）は、印刷指示が入力されるまで待機する。この判断は、操作部１６から信号入力が検出されるか否かで行うことができる。
ステップＳ２４では、画像表示装置３０が表示している画像データのファイル名を取得する。具体的には、表示手段４４に表示している画像データファイル名の取得要求を画像表示装置３０に送信し、要求に応答して返信されるファイル名を受信することで、ファイル名を取得することができる。
ステップＳ２６では、ステップＳ２４で取得したファイル名から画像表示装置３０が表示している画像に対応する等倍の画像データのファイル名を特定する。各画像データのファイル名は、フォルダ名と、画像データの種類と、関連付けられている画像データにおける表示順序とから構成されている。例えば、ステップＳ２４で取得したファイル名が「０６０９２０ｎ３１」であったならば、画像データのファイル名の規則より、このステップで取得する画像データファイルが「０６０９２０ｎ１」であることを特定することができる。
ステップＳ２８では、ステップＳ２６で特定したファイル名の等倍の画像データを取得する。具体的には、ステップＳ２６で特定したファイル名の画像データの取得要求を画像表示装置３０に送信し、それに応答して返信された画像データを受信することで、画像データを取得することができる。
ステップＳ３０では、特定したファイル名の等倍の画像データファイルが取得できたか否かが判断される。取得できた場合（判断がＹＥＳの場合）はステップＳ３２へ進み、取得できていない場合（判断がＮＯの場合）は、ステップＳ３４へ進む。
ステップＳ３２では、取得した等倍の画像データが記述する画像を印刷する。
ステップＳ３４では、特定したファイル名の等倍の画像データが画像表示装置３０に記憶されていないことから、表示部１７にエラーメッセージを表示する。例えば、携帯端末装置３０側の操作によって等倍の画像データファイルが削除されている場合等は、その画像データを取得することができない。
ステップＳ２２からステップＳ３４の動作処理は、ＣＰＵ６と、ＣＰＵ６にステップＳ２２からステップＳ３４を実行させる各種プログラムにより実行される。
【００２８】
図４に、削除指示が入力されたときのファクシミリ装置４の動作処理を表わすフローチャートを示す。ステップＳ３６では、操作部１６から削除指示が入力されたか否かが判断される。削除指示が入力された場合（判断がＹＥＳの場合）はステップＳ３８へ進み、削除指示が入力されていない場合（判断がＮＯの場合）は、削除指示が入力されるまで待機する。この判断は、操作部１６から信号入力が検出されるか否かで行うことができる。
ステップＳ３８では、画像表示装置３０が表示している画像データのファイル名を取得する。具体的には、表示手段４４が表示している画像データのファイル名の取得要求を画像表示装置３０に送信し、それに応答して返信されたファイル名を受信することでファイル名を取得することができる。
ステップＳ４０では、取得したファイル名の画像データを含むフォルダ名を特定する。例えば、ステップＳ３８で取得したファイル名が「０６０９２０ｎ３１」であったならば、画像データのファイル名の規則より、このステップで削除すべきフォルダ名が「０６０９２０」であることを特定することができる。
ステップＳ４２では、ステップＳ４０で特定したフォルダ名のフォルダと、フォルダ内に記憶されている画像データの削除指示を画像表示装置３０に送信する。
ステップＳ３６からステップＳ４２の動作処理は、ＣＰＵ６と、ＣＰＵ６にステップＳ３６からステップＳ４２を実行させる各種プログラムにより実行される。
【００２９】
図５に、ファクシミリ装置４から送信された画像データを表示するまでの画像表示装置３０の動作処理を表わすフローチャートを示す。この動作処理が開始されるまでに、ファクシミリ装置４は少なくとも図２のステップＳ１８までの動作処理を実行している。
ステップＳ４４では、ファクシミリ装置４から、画像表示装置３０の記憶領域にフォルダを作成する指示が送信されたか否かが判断される。フォルダ作成指示が送信された場合（判断がＹＥＳの場合）はステップＳ４６へ進み、フォルダ作成指示が送信されていない場合（判断がＮＯの場合）は、フォルダ作成指示が送信されるまで待機する。
ステップＳ４６では、フォルダを作成する。作成するフォルダ名は、フォルダ作成指示に指定されている。
ステップＳ４８では、ファクシミリ装置４から送信される画像データを受信したか否かが判断される。画像データを受信した場合（判断がＹＥＳの場合）はステップＳ５０へ進み、画像データを受信していない場合（判断がＮＯの場合）は、画像データを受信するまで待機する。
ステップＳ５０では、受信した画像データをステップＳ４６で作成したフォルダ内に記憶する。
ステップＳ５２では、各画像データに関連付けられた表示順序に従って、表示手段４４に画像を表示する。表示手段４４には、先に等倍の画像データが記述する画像が表示され、分割数の大きいものから分割形式の画像データが記述する画像が表示される。分割形式の画像データを構成する分割画像データは、個々の分割画像データに関連付けられている表示順序に従って表示される。
ステップＳ４４からステップＳ５２の動作処理は、ＣＰＵ４０と、ＣＰＵ４０にステップＳ４４からステップＳ５２を実行させる各種プログラムにより実行される。
【００３０】
図６に、ファクシミリ装置４で印刷指示が入力されたときの画像表示装置３０の動作処理を表わすフローチャートを示す。この動作処理が開始されるまでに、ファクシミリ装置４は少なくとも図３のステップＳ２２までの動作処理を実行している。
ステップＳ５４では、ファクシミリ装置４から、表示手段４４に表示している画像のファイル名取得要求を受信したか否かが判断される。ファイル名取得要求を受信した場合（判断がＹＥＳの場合）はステップＳ５６へ進み、ファイル名取得要求を受信していない場合（判断がＮＯの場合）は、ファイル名取得要求を受信するまで待機する。
ステップＳ５６では、表示している画像を記述する画像データのファイル名をファクシミリ装置４へ送信する。
ステップＳ５８では、ファクシミリ装置４から画像データ取得要求を受信したか否かが判断される。画像データ取得要求を受信した場合（判断がＹＥＳの場合）はステップＳ６０へ進み、画像データ取得要求を受信していない場合（判断がＮＯの場合）は、画像データ取得要求を受信するまで待機する。
ステップＳ６０では、画像データ取得要求で指定されたファイル名の画像データを検索する。
ステップＳ６２では、指定されたファイル名の画像データが記憶領域に記憶されているか否かが判断される。記憶されている場合（判断がＹＥＳの場合）はステップＳ６４へ進み、記憶されていない場合（判断がＮＯの場合）は、ステップＳ６６へ進む。
ステップＳ６４では、指定されたファイル名の画像データをファクシミリ装置４に送信する。
ステップＳ６６では、指定された画像データが画像表示装置３０の記憶領域に記憶されていないことを通知するエラー信号をファクシミリ装置４に送信する。
ステップＳ５４からステップＳ６６の動作処理は、ＣＰＵ４０と、ＣＰＵ４０にステップＳ５４からステップＳ６６を実行させる各種プログラムにより実行される。
【００３１】
図７に、ファクシミリ装置４で削除指示が入力されたときの画像表示装置３０の動作処理を表わすフローチャートを示す。この動作処理が開始されるまでに、ファクシミリ装置４は少なくとも図４のステップＳ３６までの動作処理を実行している。
ステップＳ６８では、ファクシミリ装置４から、画像表示手段４４に表示している画像のファイル名取得要求を受信したか否かが判断される。ファイル名取得要求を受信した場合（判断がＹＥＳの場合）はステップＳ７０へ進み、ファイル名取得要求を受信していない場合（判断がＮＯの場合）は、ファイル名取得要求を受信するまで待機する。
ステップＳ７０では、表示している画像を記述する画像データのファイル名を送信する。
ステップＳ７２では、ファクシミリ装置４から送信されるフォルダの削除指令を受信したか否かが判断される。フォルダの削除指令を受信した場合（判断がＹＥＳの場合）はステップＳ７４へ進み、フォルダの削除指令を受信していない場合（判断がＮＯの場合）は、フォルダの削除指令を受信するまで待機する。
ステップＳ７４では、フォルダの削除指令で指定されたフォルダと、フォルダ内に記憶されている画像データをすべて削除する。
ステップＳ６８からステップＳ７４の動作処理は、ＣＰＵ４０と、ＣＰＵ４０にステップＳ６８からステップＳ７４を実行させる各種プログラムにより実行される。
【００３２】
本実施例のシステム２によると、画像表示装置３０を用いてファクシミリ装置４が受信したファクシミリデータを見ることができる。変換された等倍の画像データと分割形式の画像データを切換えて表示することで、拡大された画像を表示することができる。受信したファクシミリデータを印刷する必要があるか否かを、画像表示装置３０に表示された画像で判断することができる。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば、ステップＳ１０で分割形式の画像データを構成する分割画像データの数ｎを２に設定しているが、ｎの初期値は２に限定されない。例えば、ユーザが選択した２以上の任意の整数であるという条件を満たす任意の数であってもよい。特に、分割形式の画像データを構成する際に、ｎ×ｎであらわすことのできる任意の整数（たとえば、ｎ＝２であれば４分割した分割画像データ，ｎ＝３であれば９分割した分割画像データなど）とすると、画像データを表示する際に、画像データを変形したり、余白部分を有することなく、表示手段４４の表示画面全体に、整合性のとれた各分割画像データを表示することが可能となる。
また、本実施形態では、印刷処理と削除処理をそれぞれ独立して行っているが、印刷処理後、印刷を行った画像データに関する分割形式の画像データおよびフォルダのすべての削除指示を行ってもよい。この場合は、図３のステップＳ３２の処理の後、図４のＳ４０に移行し、Ｓ２４で取得したファイル名の画像データを含むフォルダ名を特定し、そのフォルダの削除指示を画像表示装置に送信することとなる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３４】
【図１】本発明のシステム２の概略構成を表わすブロック図である。
【図２】ファクシミリデータを受信してから分割形式の画像データを送信するまでのファクシミリ装置４の動作処理を表わすフローチャートである。
【図３】印刷指示が入力されたときのファクシミリ装置４の動作処理を表わすフローチャートである。
【図４】削除指示が入力されたときのファクシミリ装置４の動作処理を表わすフローチャートである。
【図５】ファクシミリ装置４から送信された画像データを表示するまでの画像表示装置３０の動作処理を表わすフローチャートである。
【図６】印刷指示が入力されたときの画像表示装置３０の動作処理を表わすフローチャートである。
【図７】削除指示が入力されたときの画像表示装置３０の動作処理を表わすフローチャートである。
【図８】本発明のシステムの通信処理動作の概略を表わす図である。
【図９】分割形式の画像データの構成を表わす図である。
【符号の説明】
【００３５】
２：システム
４：ファクシミリ装置
６，４０：ＣＰＵ
１６：操作部
１７：表示部
１８，３２：接続インターフェース
３０：画像表示装置
４８：公衆回線
５０：操作部
６０，８０：ＲＯＭ
６２，８２：ＲＡＭ
６４：印刷部
６６：スキャナ部
６８：ＬＡＮインターフェース
７０：不揮発性ＲＡＭ
７６：モデム
７８：ＬＡＮケーブル
８８：ハードディスク
９０：コンピュータ
【図１】
2008092078.tif 000003
【図２】
2008092078.tif 000004
【図３】
2008092078.tif 000005
【図４】
2008092078.tif 000006
【図５】
2008092078.tif 000007
【図６】
2008092078.tif 000008
【図７】
2008092078.tif 000009
【図８】
2008092078.tif 000010
【図９】
2008092078.tif 000011